(57)【特許請求の範囲】
【請求項１】
各々略四角形状の正面部と背面部を有し、前記四角形状の一辺が開口部、開口部の一辺に対向する四角形状の一辺が底辺部および他の２辺が側部となる袋体と、
袋体正面部の開口部近傍に設けられた正面部取っ手と、
袋体背面部の開口部近傍に設けられた背面部取っ手と、
袋体側部が正面部を内側にして折り曲げられた後に折り曲げ状態が維持できるように、開口部近傍かつ両側部それぞれの近傍の袋体に設けられ互いに係止する一対の第一係止具で構成される第一係止手段と、
側部が第一係止手段にて折り曲げ係止された後に、底辺部が正面部を内側にして開口部方向に折り曲げられ、その折り曲げ状態が維持できるように、正面部取っ手と袋体の正面部の開口部との接続位置近傍に設けられた一方の第二係止具と、袋体底辺部近傍に設けられ該一方の第二係止具と対となって互いに係止可能となる他方の第二係止具とで構成される第二係止手段と、
を有する折り畳み式バッグであって、
袋体底辺部近傍の袋体背面部に開口部と平行な帯状の補強帯が、袋体両側部を折り畳んだ際にできる２つの山折り線の間にわたって設けられ、かつ、袋体底辺部から離間して設けられ、かつ、前記他方の第二係止具は前記補強帯に設けられている事を特徴とする折り畳み式バッグ。
【請求項２】
各々略四角形状の正面部と背面部を有し、前記四角形状の一辺が開口部、開口部の一辺に対向する四角形状の一辺が底辺部および他の２辺が側部となる袋体と、
袋体正面部の開口部近傍に設けられた正面部取っ手と、
袋体背面部の開口部近傍に設けられた背面部取っ手と、
袋体側部が正面部を内側にして折り曲げられた後に折り曲げ状態が維持できるように、開口部近傍かつ両側部それぞれの近傍の袋体に設けられた一方の第一係止具と、開口部かつ中央の近傍に設けられ、該一方の第一係止具と対をなして互いに係止する他方の第一係止具とで構成される二組の第一係止手段と、
側部が第一係止手段にて折り曲げ係止された後に、底辺部が正面部を内側にして開口部方向に折り曲げられ、その折り曲げ状態が維持できるように、正面部取っ手と袋体の正面部の開口部との接続位置近傍に設けられた一方の第二係止具と、袋体底辺部近傍に設けられ該一方の第二係止具と対となって互いに係止可能となる他方の第二係止具とで構成される第二係止手段と、
を有する折り畳み式バッグであって、
袋体底辺部近傍の袋体背面部に開口部と平行な帯状の補強帯が、袋体両側部を折り畳んだ際にできる２つの山折り線の間にわたって設けられ、かつ、袋体底辺部から離間して設けられ、かつ、前記他方の第二係止具は前記補強帯に設けられている事を特徴とする折り畳み式バッグ。
【請求項３】
前記第一係止手段の一方の第一係止具と他方の第一係止具は、ともに面ファスナーである請求項１または請求項２記載の折り畳み式バッグ。
【請求項４】
前記第二係止手段の一方の第二係止具がボタンであり、他方の第二係止具が前記ボタンにひっかけることのできるリング状の紐であり、それらが対となって、二対形成されていることを特徴とする請求項１または請求項２記載の折り畳み式バッグ。
【発明の詳細な説明】
【技術分野】
【０００１】
本発明は、主に買い物等で使用する折り畳み式バッグに関するものである。
【背景技術】
【０００２】
買い物に行く際に買い物袋を持参するが、財布等を入れるバッグとは別に買い物袋として使うバッグを持参することが多い。また、大容量のバッグに財布のみを入れた場合、買い物前には大きくてかさばり、会計の時には大きなバッグの底から財布を出すにも一苦労である。また、従来から布製の買い物バッグが存在し、特許文献１に示すように、容量を変えられるものが存在する。
【特許文献１】特許第４３７５６８２号
【発明の概要】
【発明が解決しようとする課題】
【０００３】
しかし、上記特許文献１に記載の袋においては、大型の袋で使用する状態と、小型の袋で使用する状態に変様できるが、袋部分の深さのみを折り畳んで変えるものである。買い物の時には、大きな袋一つにまとめたいと思うが、袋の深さと開口部の幅と取っ手の位置とのバランスにより、袋の深さだけを折り畳んで小さくする方法では、開口部が幅広なままで深さが浅くなり、取っ手とのバランスが悪く、取っ手より外側の袋開口部からバッグ内のものが落ちやすくなる。
【課題を解決するための手段】
【０００４】
上記課題を解決するためになされた本発明の折り畳み式バッグは、各々略四角形状の正面部と背面部を有し、前記四角形状の一辺が開口部、開口部の一辺に対向する四角形状の一辺が底辺部および他の２辺が側部となる袋体と、袋体正面部の開口部近傍に設けられた正面部取っ手と、袋体背面部の開口部近傍に設けられた背面部取っ手と、を有している。
また本発明の折り畳み式バッグは、袋体側部が正面部を内側にして折り曲げられた後に折り曲げ状態が維持できるように、開口部近傍かつ両側部それぞれの近傍の袋体に設けられた一方の第一係止具と、開口部かつ中央の近傍に設けられ、該一方の第一係止具と対をなして互いに係止する他方の第一係止具とで構成される二組の第一係止手段を有している。  
更に、本発明の折り畳み式バッグは、側部が第一係止手段にて折り曲げ係止された後に、底辺部が正面部を内側にして開口部方向に折り曲げられ、その折り曲げ状態が維持できるように、正面部取っ手と袋体の正面部の開口部との接続位置近傍に設けられた一方の第二係止具と、袋底辺部近傍に設けられた該一方の第二係止具と対となって互いに係止可能となる他方の第二係止具とで構成される第二係止手段を有している。
本発明の折り畳み式バッグは、二組の第一係止手段にかわって、開口部近傍かつ両側部それぞれの近傍の袋体に設けられ互いに係止する一対の第一係止具で構成される第一係止手段とで構成しても良い。
【発明の効果】
【０００５】
本発明の折り畳み式バッグは、平面に広げた状態の袋体開口部の両側辺を折り畳み、さらに袋体の底辺を開口部に向かい折り上げ係止することで、取っ手部分はそのままに、袋部分のみ左右下方部分の折り畳んだ分だけ容量が少ない袋体になり、小さなバッグとしても使用できるようになる。縦横ともに小さくなるため、縦横の長さとバランスがよく、中身を落としやすいという欠点がない。さらに、本発明の折り畳み式バッグは、深さの折り畳み手段、すなわち第二係止手段によって深さのサイズ変更だけでなく、横幅を折り畳んだ部分を交差するように折り畳むので、すなわち、横幅を折り畳んだ部分を縦方向にさらに折り畳むので、小さいバッグの状態で中に物を入れた時に、バッグの折り畳まれた底部分の横幅が広がることを抑制し、型崩れしにくい。
【図面の簡単な説明】
【０００６】
【図１】本発明第一の実施例の正面図
【図２】本発明第一の実施例の背面図
【図３】本発明第一の実施例の折り畳んだ状態の正面図
【図４】本発明第一の実施例の折り畳んだ状態の側面図
【図５】本発明の第二の実施例の正面図
【図６】本発明の第二の実施例の背面図
【図７】本発明の第三の実施例の背面図
【図８】本発明の第三の実施例の折り畳んだ状態の正面図
【図９】本発明の第三の実施例の折り畳んだ状態の側面図
【発明を実施するための形態】
【０００７】
以下、本発明の第一の実施例の折り畳み式バッグを図１ないし図４を用いて詳細に説明する。
図１に示すように、この折り畳み式バッグは、略四角形状の袋体（１）を有している。この袋体（１）は各々略四角形状の正面部（１ａ）と背面部（１ｂ）から構成されている。袋体（１）は、上部一辺が開口部（２）を構成し、開口部（２）と対向する下部の閉じられた一辺は底辺（３）とし、左右の閉じられた両側辺は側部（４）を構成する。開口部（２）近傍の袋体（１）正面部(１ａ)には正面部取っ手（５ａ）が、開口部（２）近傍の背面部（１ｂ）には背面部取っ手（５ｂ）が設けられている。
【０００８】
開口部（２）近傍の袋体（１）両側部（４）には、一方の第一係止具(６ａ)と他方の第一係止具（６ｂ）とが設けられている。一方の第一係止具（６ａ）と他方の第一係止具（６ｂ）とが第一係止手段（６）を構成している。この実施例では、一方の第一係止具（６ａ）は、ボタンであり、他方の第一係止具（６ｂ）は、このボタンにひっかけることのできるリング状の紐で構成されている。また、開口部（２）と正面部取っ手（５ａ）との２カ所の接続部分近傍には、それぞれに一方の第二係止具（７ａ）が設けられており、その一方の第二係止具（７ａ）から下方垂直方向へ向かい底辺（３）と交わる位置に、他方の第二係止具（７ｂ）がそれぞれ設けられている。この実施例では、一方の第二係止具（７ａ）がボタンであり、他方の第二係止具（７ｂ）がこのボタンにひっかけることのできるリング状の紐である。一方の第二係止具（７ａ）と他方の第二係止具（７ｂ）は対となり、第二係止手段（７）を構成している。本実施例では、第二係止手段（７）が二対形成されている。さらに、一方の第一係止具（６ａ）と他方の第一係止具（６ｂ）を嵌合したときにできる谷折り線（８）は、正面部取っ手（５ａ）より側部（４）側に現れる。
【０００９】
図２に示すように、袋体（１）の開口部（２）近傍の袋体（１）の両側部（４）には、図１と左右対照に一方の第一係止具（６ａ）と他方の第一係止具（６ｂ）とが現れる。正面部（１ａ）にて一方の第一係止手具（６ａ）と他方の第一係止手具（６ｂ）を嵌合したときに背面部（１ｂ）にできる山折り線（９）は、背面部取っ手（５ｂ）より側部（４）側に現れる。
【００１０】
上記第一の実施例を小容量のバッグとして使う時には、図１に示す谷折り線（８）に沿い両側辺（４）を内側に折り畳み、一方の第一係止具（６ａ）と他方の第一係止具（６ｂ）を係止させることで、袋体（１）の横幅が細くなる状態を維持できる。次に、図３、図４に示すように、袋体（１）の両側部（４）が内側に折り曲げられ係止された状態で、正面部を内側にして底辺（３）を開口部（２）方向に折り上げ、ボタン状の一方の第二係止具（７ａ）とループ状の他方の第二係止具（７ｂ）を係止させる。
【００１１】
この実施例の折り畳み式バッグは、平面に広げた状態の袋体開口部の両側辺を折り畳み、さらに袋体の底辺を開口部に向かい折り上げ係止することで、取っ手部分はそのままに、袋部分のみ左右下方部分の折り畳んだ分だけ容量が少ない袋体になり、小さなバッグとしても使用できるようになる。縦横ともに小さくなるため、縦横の長さとのバランスがよく、中身を落としやすいという欠点がない。さらにこのバッグは、深さの折り畳み手段、すなわち第二係止手段によって深さのサイズ変更だけでなく、横幅を折り畳んだ部分を交差するように折り畳む。すなわち、横幅を折り畳んだ部分を縦方向にさらに折り畳むので、小さいバッグの状態で中に物を入れた時に、バッグの折り畳まれた底部分の横幅が広がることを抑制し、型崩れしにくい。
【００１２】
本発明の第二の実施例の折り畳み式バッグを図５および図６を参照して詳細に説明する。
図５に示すように、袋体（１）の正面部（１ａ）の表面には、開口部（２）近傍かつ両側部（４）近傍に一方の第一係止具（６ｃ）と、開口部（２）かつ中央の近傍に他方の第一係止具（６ｄ）が設けられている。第一係止具（６ａ）（６ｂ）は、面ファスナーで構成されている。面ファスナーに替えて、第一の実施例のバッグのように、ボタンとリング状の紐体で構成してもよい。また、袋体（１）に厚みを持たせた場合には、底部（１１）が正面部（１ａ）側に現れるように畳む。一方の第一係止具（６ｃ）と他方の第一係止具（６ｄ）を嵌合したときにできる谷折り線（８）は、正面部取っ手（５ａ）より側部（４）側に現れる。開口部（２）と正面部取っ手（５ａ）との接続部分近傍には、一方の第二係止具（７ａ）が２カ所設けられており、その一方の第二係止具（７ａ）から下方垂直方向の底辺（３）に向かいかつ、図６に示す、背面部（１ｂ）に現れる底辺（３）と交わる位置に他方の第二係止具（７ｂ）が、それぞれ相対する所に２カ所設けられる。一方の第二係止具（７ａ）と他方の第二係止具（７ｂ）は対となり第二係止手段（７）となる。図６に示すように、背面部（１ｂ）に現れる第一係止手段（６）を実行したときにできる山折り線（９）は、正面部取っ手（５ａ）より側部（４）側に現れる。
【００１３】
本発明の第二の実施例を小容量のバッグとして使う時には、図５に示すように底部（１１）は正面部（１ａ）側に折り畳んで、第一係止手段の実行後、第二係止手段にて係止する。
この実施例の折り畳み式バッグも、平面に広げた状態の袋体開口部の両側辺を折り畳み、さらに袋体の底辺を開口部に向かい折り上げ係止することで、取っ手部分はそのままに、袋部分のみ左右下方部分の折り畳んだ分だけ容量が少ない袋体になり、小さなバッグとしても使用できるようになる。縦横ともに小さくなるため、縦横の長さとバランスがよく、中身を落としやすいという欠点がない。さらにこのバッグは、深さの折り畳み手段、すなわち第二係止手段によって深さのサイズ変更だけでなく、横幅を折り畳んだ部分を交差するように折り畳むので、すなわち、横幅を折り畳んだ部分を縦方向にさらに折り畳むので、小さいバッグの状態で中に物を入れた時に、バッグの折り畳まれた底部分の横幅が広がることを抑制し、型崩れしにくい。
さらに一方の第一係止具（６ａ）と他方の第一係止具（６ｂ）はともに面ファスナーであるために、横方向の係止位置を左右にずらすことが可能であり、ずらした分、横幅を変えることが可能となる。さらに面ファスナーの横幅を大きくすることで、横方向にずらす位置を大きくでき、その分さらに折り畳んだ後の横幅を大きく変えることができる。
【００１４】
本発明の第三の実施例の買い物バッグを図７ないし９図を参照して詳細に説明する。
図７に示すように、第三の実施例の折り畳み式バッグは、第一の実施例の折り畳み式バッグの袋体背面部（１ｂ）の底辺（３）近傍に、開口部（２）と平行となるように設けられた帯状部材の補強帯（１０）を設けたものである。この補強帯（１０）は、第一係止手段（６）を実行すると現れる二つの山折り線（９）の間にわたって設けられる。さらに補強帯（１０）の底辺（３）側に他方の第二係止具（７ｂ）が設けられる。補強帯（１０）部分は、袋体（１）のみの布地より固くなる。
その他の構成は、第一の実施例の折り畳み式バッグと同じ構成であり、説明を省略する。
【００１５】
本発明の第三の実施例を小容量のバッグとして使う時は、第一係止手段（６）にて袋体（１）の横幅が細くなる状態を維持した後、図８、図９に示すように補強帯（１０）に沿い、袋体（１）の底辺（３）から第二係止具（７ｂ）までを折り上げ、さらに前記折り上げ部分を内側に巻き込みながら一方の第二係止具（７ａ）と他方の第二係止具（７ｂ）を係止する。このように底辺（３）近傍を一度折り畳むことで、袋体（１）の大きさに応じ、バッグの深さを任意の大きさにバランスよく設定することができ、さらに小容量のバッグとして使用した時に、折り畳まれることが係止手段となり、バッグ部分の形が崩れにくくなる。また補強帯（１０）は、袋体（１）の布地と固さの違いがあるので目安になり折りやすく、さらに図８のように小容量のバッグにした時に、補強帯（１０）部分が袋体（１）の布より固くなるため、開口部（２）の形崩れ防止になる。  図７に示す補強帯（１０）は、布だけでなく、薄いプラスチックの板状の補強材を使用すると、小容量のバッグにした時に、開口部（２）の型崩がより軽減される。
【００１６】
本発明の買い物バッグを使用すると、買い物をする前の、持ち物が財布のみという時には折り畳んで使用すれば、小容量のバッグとして使うことができる。買い物中や移動中にかさばることがなく、会計時にはすばやく財布を取り出すことができる。また、買い物バッグを肩にかけたまま、第二係止手段（７）をはずし、第一係止手段（６）を解放することで、袋体（１）は簡単に広がり、すぐに大容量の買い物バッグとして使うことができる。畳んである状態と広げた状態の袋体（１）部分は、開口部、持ち手と共通なので、畳んだ状態の時に入れた財布等は、広げて大容量のバッグにした時にも入っている。
【００１７】
本発明品は、横幅も深さも充分な大きさの買い物バッグを提供するが、横幅も折り畳むのでバランスよく小容量のバッグに変えることができる。
【符号の説明】
【００１８】
１      袋体
１ａ    正面部
１ｂ    背面部
２      開口部
３      底辺
４      側部
５a     正面部取っ手
５b     背面部取っ手
６      第一係止手段
６ａ    一方の第一係止具
６ｂ    他方の第一係止具
６ｃ    一方の第一係止具
６ｄ    他方の第一係止具
７      第二係止手段
７ａ    一方の第二係止具
７ｂ    他方の第二係止具
８      谷折り線
９      山折り線
１０    補強帯
１１    底部
【図１】
0006281033.tif 000002
【図２】
0006281033.tif 000003
【図３】
0006281033.tif 000004
【図４】
0006281033.tif 000005
【図５】
0006281033.tif 000006
【図６】
0006281033.tif 000007
【図７】
0006281033.tif 000008
【図８】
0006281033.tif 000009
【図９】
0006281033.tif 000010